(57)【要約】１対多型マルチメディアマルチキャストサービスにおける制御情報の送受信方法が開示される。さらに詳しくは、移動端末が特定数にグループ分けされた情報を受信し、特定の数にグループ分けされた情報に基づく複数のメッセージを受信し、それぞれのメッセージはそれぞれの時間間隔に対応する。なお、移動局は、受信された複数のメッセージから放送情報を取得する。さらに、本発明の他の特徴によれば、無線通信システムにおけるネットワークからの放送情報の受信方法が開示される。この方法においては、ネットワークは、最初のメッセージは特定数にグループ分けされた情報を含み、且つ、次のメッセージはそれぞれのグループに割り当てられた要素の一覧を含んでいる場合、制御チャンネルを介して複数のメッセージを受信する。【選択図】図５
2008535369.tif 000002
【特許請求の範囲】
【請求項１】
特定数にグループ分けされた情報を受信するステップと、
それぞれのメッセージがそれぞれの時間間隔に対応する場合、前記特定数にグループ分けされた情報に基づいて、複数のメッセージを受信するステップと、
受信された複数のメッセージから放送情報を取得するステップと、を含むことを特徴とする無線通信システムにおけるネットワークからの放送情報の受信方法。
【請求項２】
それぞれの時間間隔の長さは、同じであることを特徴とする請求項１に記載の無線通信システムにおけるネットワークからの放送情報の受信方法。
【請求項３】
それぞれの時間間隔の長さは、異なることを特徴とする請求項１に記載の無線通信システムにおけるネットワークからの放送情報の受信方法。
【請求項４】
前記放送情報は、１対多型サービスの制御情報であることを特徴とする請求項１に記載の無線通信システムにおけるネットワークからの放送情報の受信方法。
【請求項５】
前記複数のメッセージは、制御チャンネルを介して受信されることを特徴とする請求項１に記載の無線通信システムにおけるネットワークからの放送情報の受信方法。
【請求項６】
前記制御チャンネルは、放送制御チャンネル（ＢＣＣＨ）であることを特徴とする請求項５に記載の無線通信システムにおけるネットワークからの放送情報の受信方法。
【請求項７】
前記制御チャンネルは、マルチメディア放送／マルチキャストサービス制御チャンネル（ＭＣＣＨ）であることを特徴とする請求項５に記載の無線通信システムにおけるネットワークからの放送情報の受信方法。
【請求項８】
前記複数のメッセージのそれぞれは、少なくとも１以上の変更済みの情報と未変更の情報とを含んでいることを特徴とする請求項１に記載の無線通信システムにおけるネットワークからの放送情報の受信方法。
【請求項９】
前記変更済みの情報は、それぞれの時間間隔中に更新されることを特徴とする請求項８に記載の無線通信システムにおけるネットワークからの放送情報の受信方法。
【請求項１０】
前記未変更の情報は、それぞれの時間間隔中に更新されることを特徴とする請求項８に記載の無線通信システムにおけるネットワークからの放送情報の受信方法。
【請求項１１】
複数の情報を特定数にグループ分けするステップと、
それぞれの特定のグループに時間間隔を割り当てるステップと、
特定数にグループ分けされた情報を送信するステップと、
それぞれのメッセージがそれぞれの時間間隔に対応する場合、前記複数のメッセージを送るステップと、を含むことを特徴とする無線通信システムにおけるネットワークから移動端末への放送情報の送信方法。
【請求項１２】
前記送られてきた複数のメッセージには、放送情報が含まれていることを特徴とする請求項１１に記載の無線通信システムにおけるネットワークから移動端末への放送情報の送信方法。
【請求項１３】
それぞれの時間間隔の長さは、同じであることを特徴とする請求項１１に記載の無線通信システムにおけるネットワークから移動端末への放送情報の送信方法。
【請求項１４】
それぞれの時間間隔の長さは、異なることを特徴とする請求項１１に記載の無線通信システムにおけるネットワークから移動端末への放送情報の送信方法。
【請求項１５】
前記放送情報は、１対多型サービスの制御情報であることを特徴とする請求項１１に記載の無線通信システムにおけるネットワークから移動端末への放送情報の送信方法。
【請求項１６】
前記複数のメッセージは、制御チャンネルを介して受信されることを特徴とする請求項１１に記載の無線通信システムにおけるネットワークから移動端末への放送情報の送信方法。
【請求項１７】
前記制御チャンネルは放送制御チャンネル（ＢＣＣＨ）であることを特徴とする請求項１６に記載の無線通信システムにおけるネットワークから移動端末への放送情報の送信方法。
【請求項１８】
前記制御チャンネルは、マルチメディア放送／マルチキャストサービス制御チャンネル（ＭＣＣＨ）であることを特徴とする請求項１６に記載の無線通信システムにおけるネットワークから移動端末への放送情報の送信方法。
【請求項１９】
前記それぞれの複数のメッセージは、少なくとも１以上の変更済みの情報と未変更の情報とを含んでいることを特徴とする請求項１１に記載の無線通信システムにおけるネットワークから移動端末への放送情報の送信方法。
【請求項２０】
前記変更済みの情報は、それぞれの時間間隔中に更新されることを特徴とする請求項１９に記載の無線通信システムにおけるネットワークから移動端末への放送情報の送信方法。
【請求項２１】
未変更の情報は、それぞれの時間間隔中に更新されることを特徴とする請求項１９に記載の無線通信システムにおけるネットワークから移動端末への放送情報の送信方法。
【請求項２２】
最初のメッセージは特定数にグループ分けされた情報を含み、且つ、次のメッセージはそれぞれのグループに割り当てられた要素の一覧を含んでいる場合、制御チャンネルを介して複数のメッセージを受信するステップと、
それぞれの次のメッセージがそれぞれの時間間隔に対応する場合、次のメッセージを受信するステップと、
前記受信された次のメッセージから放送情報を取得するステップと、を含むことを特徴とする無線通信システムにおけるネットワークからの放送情報の受信方法。
【請求項２３】
前記それぞれの次のメッセージは、少なくとも１以上の変更済みの情報と未変更の情報とを含んでいることを特徴とする請求項２２に記載の無線通信システムにおけるネットワークからの放送情報の受信方法。
【請求項２４】
前記変更済みの情報は、それぞれの時間間隔中に更新されることを特徴とする請求項２３に記載の無線通信システムにおけるネットワークからの放送情報の受信方法。
【請求項２５】
未変更の情報は、それぞれの時間間隔中に更新されることを特徴とする請求項２３に記載の無線通信システムにおけるネットワークからの放送情報の受信方法。
【請求項２６】
少なくとも１つの変更周期中に複数のメッセージを受信するステップと、
複数のメッセージの内容を保存するステップと、
変更周期の長さが「０」よりも大きな整数である場合、保存された複数のメッセージから変更周期の長さを取得するステップと、
前記変更周期の長さが「０」である場合、複数のメッセージの受信を終了するステップと、を含むことを特徴とするサービス情報の取得方法。
【発明の詳細な説明】
【技術分野】
【０００１】
本発明は制御情報の送受信方法に係り、さらに詳しくは、１対多型マルチメディアマルチキャストサービスのための制御情報の送受信方法に関する。
【背景技術】
【０００２】
図１は、従来の技術によるＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の網構造を示している。より具体的に、ＵＭＴＳシステムは、ユーザー端末（Ｕｓｅｒ  Ｅｑｕｉｐｍｅｎｔ：ＵＥ）とＵＴＭＳ無線接続網（ＵＭＴＳ  Ｔｅｒｒｅｓｔｒｉａｌ  Ｒａｄｉｏ  Ａｃｃｅｓｓ  Ｎｅｔｗｏｒｋ：ＵＴＲＡＮ）及び核心網（Ｃｏｒｅ  Ｎｅｔｗｏｒｋ：ＣＮ）により構成されている。ＵＴＲＡＮは１以上の無線網サブシステム（Ｒａｄｉｏ  Ｎｅｔｗｏｒｋ  Ｓｕｂ−ｓｙｓｔｅｍｓ：ＲＮＳ）をさらに備えてなり、それぞれのＲＮＳは、１つの無線網制御器（Ｒａｄｉｏ  Ｎｅｔｗｏｒｋ  Ｃｏｎｔｒｏｌｌｅｒ：ＲＮＣ）と、このＲＮＣにより管理される１以上の基地局ＮｏｄｅＢとにより構成されている。なお、１つのＮｏｄｅＢには、１以上のセルが存在している。以降、ＵＥは、移動端末、移動局、端末などとして呼ばれることもある。
【０００３】
図２は、第３世代移動体通信システムの標準化プロジェクト（３ＧＰＰ）無線接続網の規格に基づく端末とＵＴＲＡＮとの間の無線インタフェースプロトコルの構造を示している。図２に示すように、無線インタフェースプロトコルは、下から上への水平的に、物理階層と、データリンク階層及びネットワーク階層により構成されている。また、インタフェースプロトコルは、左から右への垂直的に、データ情報を送信するためのユーザー平面と、制御信号を送信するための制御平面とにより構成されている。これらのプロトコル階層は、開放型システム間相互接続（Ｏｐｅｎ  Ｓｙｓｔｅｍ  Ｉｎｔｅｒｃｏｎｎｅｃｔｉｏｎ：ＯＳＩ）基準モデルの下位３階層を基に、第１の階層（Ｌ１）、第２の階層（Ｌ２）及び第３の階層（Ｌ３）に分けられる。
【０００４】
第１の階層（Ｌ１）あるいは物理階層は、上位階層に情報送信サービスを提供するために、物理チャンネルを用いる。構造的に、物理階層は、上位にある媒体接続制御（Ｍｅｄｉｕｍ  Ａｃｃｅｓｓ  Ｃｏｎｔｒｏｌ：ＭＡＣ）階層とは送信チャンネルを介して接続されており、この送信チャンネルを介して媒体接続制御階層と物理階層との間におけるデータの送信が行われる。これと同時に、物理階層の送信側と受信側との間におけるデータ送信も物理チャンネルを介して行われる。
【０００５】
第２の階層（Ｌ２）の媒体接続制御（ＭＡＣ）階層は、上位階層あるいは無線リンク制御（Ｒａｄｉｏ  Ｌｉｎｋ  Ｃｏｎｔｒｏｌ：ＲＬＣ）階層に情報を送信するために、論理チャンネルを用いる。ＲＬＣ階層は信頼性のあるデータの送信に対応しており、上位階層から送られてくるＲＬＣサービスデータ単位（Ｓｅｒｖｉｃｅ  Ｄａｔａ  Ｕｎｉｔ：ＳＤＵ）の分割及び／または連結を行うことができる。
【０００６】
第３の階層（Ｌ３）の無線リソース制御（Ｒａｄｉｏ  Ｒｅｓｏｕｒｃｅ  Ｃｏｎｔｒｏｌ：ＲＲＣ）階層は、制御平面においてのみ動作する。ＲＲＣは、無線ベアラー（Ｒａｄｉｏ  Ｂｅａｒｅｒ：ＲＢ）の設定、再設定及び解放と関連して、論理チャンネル、送信チャンネル及び物理チャンネルを制御する。ここで、ＲＢとは、端末とＵＴＲＡＮとの間におけるデータの送信のために、第２の階層から提供されるサービスのことを言う。通常、ＲＢの設定とは、特定のサービスを提供するために必要となるプロトコル階層及びチャンネルの特性を規定し、且つ、それぞれの具体的なパラメータ及び動作方法を設定する過程を意味する。
【０００７】
マルチメディア放送／マルチキャストサービス（Ｍｕｌｔｉｍｅｄｉａ  Ｂｒｏａｄｃａｓｔ／Ｍｕｌｔｉｃａｓｔ  Ｓｅｒｖｉｃｅ：ＭＢＭＳ）を詳述する。ＭＢＭＳは、ＭＢＭＳベアラーサービスを用いて複数のユーザー端末にストリーミングあるいはバックグラウンドサービスを提供する。ＭＢＭＳサービスは１以上のセッションから構成され、ＭＢＭＳデータは、セッションが進行中である場合に限って、ＭＢＭＳベアラーサービスを介して送信される。
【０００８】
図３は、従来の技術による、ユーザー端末側からのＭＢＭＳサービスの構成図である。図３に示すように、ＵＴＲＡＮは、ＲＢを用いてＭＢＭＳベアラーサービスをユーザー端末に提供する。ここで、ＲＢは、２種類の方式、すなわち、１対１型無線ベアラーと１対多型無線ベアラーとにより表すことができる。ここで、１対１無線ベアラーは両方向の無線ベアラーであり、論理チャンネル（すなわち、Ｄｅｄｉｃａｔｅｄ  Ｔｒａｆｆｉｃ  Ｃｈａｎｎｅｌ：ＤＴＣＨ）と、送信チャンネル（すなわち、Ｄｅｄｉｃａｔｅｄ  Ｃｈａｎｎｅｌ：ＤＣＨ）と、物理チャンネル（すなわち、Ｄｅｄｉｃａｔｅｄ  Ｐｈｙｓｉｃａｌ  Ｃｈａｎｎｅｌ：ＤＰＣＨ）または副共通制御物理チャンネル（すなわち、Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ：ＳＣＣＰＣＨ）と、から構成されている。また、１対多型無線ベアラーは一方向の下り無線ベアラーであり、図３に示すように、論理チャンネル（すなわち、ＭＢＭＳ  Ｔｒａｆｆｉｃ  Ｃｈａｎｎｅｌ：ＭＴＣＨ）と、送信チャンネル（すなわち、Ｆｏｒｗａｒｄ  Ａｃｃｅｓｓ  Ｃｈａｎｎｅｌ：ＦＡＣＨ）と、物理チャンネル（すなわち、ＳＣＣＰＣＨ）と、から構成されている。論理チャンネルＭＴＣＨは、一つのセルに提供されるそれぞれのＭＢＭＳサービスがセルに提供される間に設定され、ユーザー平面データを複数の端末に提供するために用いられる。
【０００９】
論理チャンネルＭＢＭＳ制御チャンネル（ＭＣＣＨ）は、ＭＢＭＳと関連する制御情報を送信するために用いられる１対多型下りチャンネルである。論理チャンネルＭＣＣＨは下りアクセスチャンネル（ＦＡＣＨ）にマッピングされ、ＦＡＣＨはＳＣＣＰＣＨにマッピングされる。一つのＭＣＣＨは一つのセルにのみ存在する。
【００１０】
上述した従来の方法は、下記の問題点がある。従来の技術においては、ＵＴＲＡＮが１変更周期中に大量のＭＣＣＨ情報を送信しようとする場合、ＵＴＲＡＮは、ＭＣＣＨ送信速度を上げること、あるいは、送信周期を簡単に延ばすことが余儀なくされていた。しかしながら、ＭＣＣＨ送信速度を上げる場合、ＮｏｄｅＢは一層多くの電力を消費し、これと同時に、ＭＣＣＨ情報の更新が遅れてしまうことがあった。
【発明の開示】
【発明が解決しようとする課題】
【００１１】
本発明は、上述した従来の技術の限界及び不都合に起因する１以上の問題点を実質的に回避可能な１対多型マルチメディアマルチキャストサービスにおける制御情報の送受信方法に関する。
【００１２】
本発明の目的は、無線通信システムにおけるネットワークからの放送情報の受信方法を提供するところにある。
【００１３】
本発明の他の目的は、無線通信システムにおけるネットワークから移動端末への放送情報の送信方法を提供するところにある。
【００１４】
本発明のさらに他の目的は、サービス情報の取得方法を提供するところにある。
【課題を解決するための手段】
【００１５】
本発明のさらなる特徴、目的及び特徴は、本発明の技術分野における通常の知識を持った者にとって自明な後述する明細書に開示されるか、あるいは、発明の実施から学習されるであろう。本発明の別の目的及び利点は、開示された説明及び添付図面、並びに特許請求の範囲において特別に指摘された構成により実現されてかつ獲得されるであろう。  
【００１６】
本発明の諸目的と他の長所を達成するために、本発明の具体的で且つ好適な特徴によれば、移動端末を備える無線通信システムにおけるネットワークからの放送情報の受信方法は、前記移動端末が特定数にグループ分けされた情報を受信する。また、前記無線通信システムに備えられた移動端末は、それぞれのメッセージがそれぞれの時間間隔に対応する場合、前記特定数にグループ分けされた情報に基づいて、複数のメッセージを受信し、また、受信された複数のメッセージから放送情報を取得する。
【００１７】
また、本発明の他の特徴によれば、無線通信システムにおけるネットワークから移動端末への放送情報の送信方法が開示される。この方法においては、ネットワークが複数の情報を特定数にグループ分けし、それぞれの特定のグループに時間間隔を割り当てる。また、ネットワークは、特定数にグループ分けされた情報を送信し、それぞれメッセージがそれぞれの時間間隔に対応する場合、前記複数のメッセージを送る。
【００１８】
さらに、本発明のさらに他の特徴によれば、無線通信システムにおけるネットワークからの放送情報の受信方法が開示される。この方法においては、ネットワークは、最初のメッセージは特定数にグループ分けされた情報を含み、且つ、次のメッセージはそれぞれのグループに割り当てられた要素の一覧を含んでいる場合、制御チャンネルを介して複数のメッセージを受信する。次いで、ネットワークは、それぞれの次のメッセージがそれぞれの時間間隔に対応する場合、次のメッセージを受信し、前記受信された次のメッセージから放送情報を取得する。
【００１９】
さらにまた、本発明のさらに他の特徴によれば、サービス情報を取得する方法が開示される。さらに詳しくは、移動端末は、少なくとも１つの変更周期中に複数のメッセージを受信し、複数のメッセージの内容を保存する。このとき、前記移動端末は、変更周期の長さが「０」よりも大きな整数である場合、保存された複数のメッセージから変更周期の長さを取得し、前記変更周期の長さが「０」である場合、複数のメッセージの受信を終了する。
【発明の効果】
【００２０】
本発明に係る前述した課題を解決するための手段の説明と後述する実施形態の説明は、例示であり、説明目的のものであり、本発明のさらなる説明を提供することを意図していることを理解すべきである。
【発明を実施するための最良の形態】
【００２１】
以下、添付図面に基づき、本発明の好適な実施形態について詳細に説明する。なお、図中、同じ構成要素には、できる限り同じ参照符号を付してある。
【００２２】
図４は、ＭＣＣＨ情報の送信方式の一例を示している。ＭＣＣＨは、放送情報の一例である。より具体的に、ＭＢＭＳサービスを提供するＵＴＲＡＮは、ＭＣＣＨチャンネルを介してＭＣＣＨ情報を複数のユーザー端末に送る。ＭＣＣＨ情報は、変更周期と繰り返し周期に応じて周期的に送信される。さらに、ＭＣＣＨ情報は、重要情報と非重要情報とに大別できる。このため、非重要情報は、全ての変更周期中及び繰り返し周期中に亘って送信のために自由に変更可能である。これに対し、重要情報は、専ら変更周期中に限って変更可能である。すなわち、重要情報はそれぞれの繰り返し周期ごとに１回ずつ繰り返し送信され、変更された重要情報は専ら変更周期の立ち上げ時に限って送信される。
【００２３】
ここで、ＭＣＣＨ情報とは、ＭＢＭＳと関連する制御メッセージ（すなわち、ＭＢＭＳと関連するＲＲＣメッセージ）を言う。ＭＣＣＨ情報は、ＭＢＭＳ変更サービス情報（Ｍｏｄｉｆｉｅｄ  Ｓｅｒｖｉｃｅｓ  Ｉｎｆｏｒｍａｔｉｏｎ：ＭＳＩ）と、ＭＢＭＳ未変更サービス情報（Ｕｎｍｏｄｉｆｉｅｄ  Ｓｅｒｖｉｃｅｓ  Ｉｎｆｏｒｍａｔｉｏｎ：ＵＳＩ）と、ＭＢＭＳ１対多型無線ベアラー情報（Ｐｏｉｎｔ−Ｔｏ−Ｍｕｌｔｉｐｏｉｎｔ  ＲＢ  Ｉｎｆｏｒｍａｔｉｏｎ）と、アクセス情報と、を含んでいる。これらのＭＣＣＨ情報のうち、アクセス情報メッセージは非重要情報に分類されるのに対し、残りのＭＣＣＨ情報メッセージは重要情報に分類される。
【００２４】
ＵＴＲＡＮがＭＣＣＨ情報に含まれている全てのメッセージを送るとき、もし、その送信対象となるメッセージが特定のサービスに関する情報を含んでいるとすれば、その送信対象となるメッセージにＭＢＭＳ送信識別子が含まれる。詳しくは、ＭＢＭＳ送信識別子は、ＭＢＭＳセッション識別子と、ＭＢＭＳサービス識別子とにより構成されている。もし、ＭＢＭＳＭＳＩメッセージを送るとしたとき、その送信対象となるメッセージには、ＭＢＭＳ送信識別子とこの送信識別子に対応するサービス関連情報が含まれる。
【００２５】
加えて、図３に示すように、ＵＴＲＡＮは、ＭＢＭＳ通知指示子チャンネルを介してデータを周期的に送信する。ここで、データは、ＭＣＣＨ情報が更新されるかどうかを報知するための情報を含んでいる。もし、ユーザー端末がある一つのＭＢＭＳサービスのみを提供されたい場合、そのユーザー端末はサービスの特定のセッションが始まる前にはＭＣＣＨあるいはＭＴＣＨを介してデータを受信することなく、周期的にＭＩＣＨを介してデータを受信する。参考までに、本願出願の説明において、ＭＣＣＨ情報の更新とは、ＭＣＣＨ情報に対する特定の項目の生成、追加、変更、若しくは除去を言う。
【００２６】
変更周期中にＭＣＣＨ情報が更新されるかどうかを報知するために、ＵＴＲＡＮは、ＭＩＣＨとＭＳＩメッセージを介してデータを送信する。ＭＳＩメッセージは、現在のセルにおいて当該変更周期中に更新されるあらゆるサービスの識別子情報と、当該サービスに加入しているユーザー端末に関する動作情報とを含んでいる。このとき、識別子情報としては、ＭＢＭＳ送信識別子が用いられる。ここで、ＭＢＭＳ送信識別子は、特定のサービスを示すＭＢＭＳサービス識別子からのみ構成されてもよく、特定のサービスの特定のセッションを示すＭＢＭＳセッション識別子とＭＢＭＳサービス識別子とが組み合わせられてなってもよい。
【００２７】
なお、前記変更周期中に未変更のサービスの識別子情報は、ＵＳＩメッセージを介して送信される。このとき、当該サービスのＭＢＭＳ送信識別子が識別情報として用いられる。
【００２８】
特定のＭＢＭＳサービスのセッションが活性化されると、ＵＴＲＡＮはＭＩＣＨを介して通知識別子（ＮＩ）を送る。ＮＩとは、特定のＭＢＭＳサービスの受信を希望するユーザー端末にＭＣＣＨからデータを受信せよとの旨を指示することを言う。ＭＩＣＨを介してデータを受信する間に、ユーザー端末は、まず、当該変更周期中に自分が受信しようとするＭＢＭＳサービスが変更されているかどうかを把握するために、ＭＳＩメッセージを受信する。このとき、もし、ＭＢＭＳサービスが変更されている場合、ユーザー端末は変更済みのＭＣＣＨ情報を取得する。なお、ユーザー端末は、１変更周期中に送られてくるＭＳＩメッセージとＵＳＩメッセージを受信して、当該変更周期中に現在のセルにおいて提供されているあらゆるサービスの一覧を作成することができる。
【００２９】
もし、ユーザー端末が１対多型無線ベアラーを用いて特定のＭＢＭＳサービスを受信しようとする場合、ユーザー端末は、ＭＣＣＨチャンネルを介してＲＢ情報を含んでいるＭＣＣＨ情報を受信することができ、１対多型ＲＢをユーザー端末に割り当てるために受信したＭＣＣＨ情報を用いる。ユーザー端末が１対多型ＲＢを設定した後、ユーザー端末は、ＭＴＣＨのマッピングされたＳＣＣＰＣＨを介してデータを受信し続けることができ、ＭＴＣＨを介して送られてくる特定のＭＢＭＳサービスのデータを取得する。
【００３０】
ＵＴＲＡＮは、ＭＴＣＨを介して不連続してＭＢＭＳデータを送信することができる。このとき、ＵＴＲＡＮは、図３に示すように、ＳＣＣＰＣＨのＭＢＭＳスケジューリングチャンネル（ＭＳＣＨ）を介して周期的にスケジューリングメッセージをユーザー端末に送る。ここで、スケジューリングメッセージは、１スケジューリング周期中に送られてくるＭＢＭＳデータの送信開始点と送信周期を報知する。このために、ＵＴＲＡＮは、ユーザー端末にスケジューリング情報のスケジューリング周期を予め報知することを余儀なくされる。
【００３１】
下記表１は、本発明の好適な一実施形態による、サービス変更がない場合におけるＭＳＩメッセージ及びＵＳＩメッセージの構成を示している。
（表１）
【００３２】
【表１】
2008535369.tif 000003
本発明の実施形態において、ＵＳＩメッセージは、ＵＳＩ周期（ＵＰ）の度に変更可能であり、ＭＳＩメッセージは、変更周期（Ｍｏｄｉｆｉｃａｔｉｏｎ  Ｐｅｒｉｏｄ：ＭＰ）の度に変更可能である。ＵＰの長さは、ＭＰの長さのＳ倍となる。上記表１によれば、ＵＰの長さは、ＭＰの長さよりも３倍長い。ここで、Ｓは３である。換言すると、一つのＵＰは３つのＭＰを含む。また、ＵＰ及びＭＰの長さは時間間隔で表されうる。この時間間隔は、同じ長さであっても、異なる長さであってもよい。
【００３３】
上記表１に示すように、未変更サービスの情報は、この３つのＭＰの一つに分類されてグループ分けされる。ＵＳＩメッセージが１ＭＰ中に全ての未変更サービスの情報を送信していた従来の技術とは異なり、本発明の実施形態によるＵＳＩメッセージは未変更サービスの情報の一部（あるいは、特定の部分）を送信する。これを実現するために、当該セルにおいてセッションが進行中の全てのＭＢＭＳサービスはＳのサービスグループ（Ｇ１、Ｇ２、Ｇ３グループ）に分けられ、それぞれのグループは異なるＭＰに割り当てられる。ここで、ＭＰのＳは一つのＵＰを含む。
【００３４】
例えば、１番目のサービスから５番目のサービスまではＧ１に属し、６番目のサービスから１０番目のサービスまではＧ２に属し、１１番目のサービスから１４番目のサービスまではＧ３に属するという風にサービスがグループ分けされてもよい。上記表１を参照すれば、１番目のサービスから５番目のサービスはＵＰ＃１内のＭＰ（ＭＰ＃１）に割り当てられ、ＵＰ＃１内のＭＰ（ＭＰ＃２）には６番目のサービスから１０番目のサービスが割り当てられ、残りの１１番目のサービスから１４番目のサービスまではＵＰ＃１内のＭＰ（ＭＰ＃３）に割り当てられる。もし、特定のサービスがＵＰ内の特定のＭＰに割り当てられたとしたとき、その割当ては、後続するＵＰに対して同様に行われる。このような割当ては当該サービスのセッションが終了するまで維持される。
【００３５】
本発明の実施形態によれば、ＵＴＲＡＮは、当該セルのサービス情報を含んでいるＭＳＩ及びＵＳＩメッセージをユーザー端末に送る。ＭＳＩ及びＵＳＩメッセージが受信される前に、ユーザー端末は、グループのＳ番号と関連する情報を取得する。このため、ユーザー端末は、グループのＳ番号に基づいて、複数のメッセージを連続して受信する。ここで、それぞれのＭＳＩメッセージ若しくはＵＳＩメッセージは時間間隔に対応するか、あるいは、周期の長さを異ならせて設定する。
【００３６】
上記表１は、任意のＭＰ中に変更または修正すべきサービス情報がない場合におけるシナリオを示している。すなわち、下記表２に示すように、ＭＰ＃１〜ＭＰ＃６中に変更がない（すなわち、ＭＳＩメッセージがない）。このように、サービス情報はＵＳＩにのみ含まれるが、サービスに変更がないためにＭＳＩメッセージには含まれない。ここで、サービス（例えば、１番目のサービス、８番目のサービス、１４番目のサービス）が、特定のＭＰ／ＵＰ中にＭＳＩメッセージ及び／またはＵＳＩメッセージにおいて送られてきた情報を示す。
【００３７】
下記表２は、ＭＰ＃５を除くそれぞれのＭＰ中に変更すべきサービス情報がある場合におけるシナリオを示している。
（表２）
【００３８】
【表２】
2008535369.tif 000004
従来の技術のように、もし、当該サービスの情報の変更が特定のＭＰ中に示された場合、ＭＳＩメッセージは特定のＭＰ中に送られる。すなわち、ＭＳＩメッセージは、そのサービスが属するサービスグループ（Ｇ１、Ｇ２、Ｇ３）とは無関係に、その変更済みのサービスの識別子情報を含む。ところが、特定のＭＰ中に送られるＵＳＩメッセージは、当該サービスの情報がそのＭＰに変更されず、そのサービスがそのＭＰに割り当てられたサービスグループに属する場合に限ってそのサービスの情報を含む。しかしながら、特定のＭＰ中に送られてきたＵＳＩメッセージは変更済みのサービス情報を含んでおらず、未変更のサービスの情報のみがその特定のＭＰに割り当てられる。
【００３９】
例えば、上記表２を参照すれば、サービス情報の変更はＭＰ＃１の２番目のサービス及び８番目のサービスにより示される。また、サービス情報の変更はＭＰ＃２の２番目のサービス及び３番目のサービス、５番目のサービスにより示され、さらなるサービス情報の変更はＭＰ＃３の１１番目のサービス及び１４番目のサービスにより示される。ＭＰ＃１において、２番目のサービスの情報は既にＭＰ＃１に割り当てられているため、２番目のサービスと関連する変更済みのサービス情報はＭＰ＃１のＵＳＩには含まれず、ＭＰ＃１のＭＳＩにのみ含まれる。また、８番目のサービスの情報はＭＰ＃２に割り当てられているため、８番目のサービスと関連する未変更のサービス情報はＭＰ＃１のＭＳＩにも含まれ、未変更の８番目のサービスの情報もＭＰ＃２のＵＳＩに含まれる。ここで、８番目のサービスの情報が次の周期（すなわち、ＭＰ＃２）中に再び変更されなければ、８番目のサービスの情報は変更されずに割り当てられたままで含まれる。
【００４０】
ＭＰ＃２において、２番目のサービスの情報に対する変更はＭＰ＃２に示されているため、変更済みの２番目のサービスの情報はＭＰ＃２のＭＳＩメッセージに含まれる。たとえ、２番目のサービスの情報がＭＰ＃１に割り当てられてはいたが、２番目のサービスの情報がＭＰ＃１中に変更されたため、ＭＰ＃１のＵＳＩメッセージには含まれない。変更済みのサービス情報は対応するＭＰのＭＳＩメッセージに含まれる。
【００４１】
ＭＰ＃３において、１１番目及び１２番目のサービスの情報は既にＭＰ＃３に割り当てられているため、変更済みのサービス情報はＭＳＩに含まれ、残りの１２番目及び１３番目のサービスの情報は未変更のものであるためにＵＳＩに含まれる。
【００４２】
ＵＰ＃２においては、１０番目のサービスの情報及び１２番目のサービスの情報に対する変更はＭＰ＃４に示されており、８番目のサービスの情報及び１２番目のサービスの情報に対する変更はさらにＭＰ＃６に示されている。このように、これらの変更済みのサービス情報は対応するＭＰのＭＳＩメッセージに含まれる。ここで、変更済みの１０番目のサービスの情報はＭＰ＃４に示されているため、変更済みのサービス情報はＭＰ＃４のＭＳＩメッセージに含まれ、これと同時に、変更済みの１０番目のサービスの情報は既に割り当てられたＭＰ＃５のＵＳＩメッセージにも含まれる。さらに、変更済みの１２番目のサービスの情報はＭＰ＃４及びＭＰ＃６に含まれているため、このサービスは当該ＭＰのＭＳＩに含まれる。また、変更済みの１２番目のサービスの情報はＭＰ＃６のＭＳＩメッセージに含まれているため、ＭＰ＃６のＵＳＩメッセージには含まれない。結局、変更済みの８番目のサービスの情報はＭＰ＃６に示されているため、変更済みの８番目のサービスの情報はＭＰ＃６のＭＳＩメッセージに含まれるだけではなく、割り当てられたＭＰ＃５のＵＳＩメッセージにも含まれる。
【００４３】
本発明の実施形態において、全ての変更周期中に送られてくるＭＣＣＨ情報は当該変更周期中にＭＳＩメッセージ及びＵＳＩメッセージに含まれるサービスの情報のみを送信する。例えば、ＭＣＣＨ（例えば、ＭＢＭＳ１対多型無線ベアラー情報、ＭＢＭＳ一般情報、ＭＢＭＳアクセス情報−ＭＣＣＨ情報）を介して送られてきたメッセージは、ＭＰ＃６のＭＳＩメッセージ及びＵＳＩメッセージを介して送られる８番目のサービス、１１番目のサービス、１２番目のサービス、１３番目のサービス及び１４番目のサービスと関連するＭＣＣＨ情報のみを送信する。なお、他の実施形態においては、それぞれの変更周期中に送られてくるＭＣＣＨ情報は、ユーザー端末が属するＵＰ内にある全てのサービスに関するＭＣＣＨ情報を含むことができる。
【００４４】
下記表３は、特定のサービスのセッションが開始または終了するとき、その特定のサービス情報がどのように送信されるかについての一例を示す。
（表３）
【００４５】
【表３】
2008535369.tif 000005
特定のサービスのセッションが活性化される場合、ＵＴＲＡＮは、特定のサービスグループに割り当てを行う。このため、ＵＴＲＡＮは、特定のＭＰのＭＳＩメッセージにそのサービスの識別子情報を含んでいる。また、ＵＴＲＡＮは、そのサービスグループに割り当てられたＭＰのＵＳＩメッセージにそのサービスの識別子情報を含んでいる。もし、ＭＳＩメッセージのＭＰとＵＳＩメッセージのＭＰが同じである場合、特定のサービスのサービス識別子はそのＭＰのＭＳＩメッセージにのみ含まれる。
【００４６】
上記表３に示すように、もし、ＭＰ＃２において１５番目のサービスのセッションの開始を報知する場合、ＵＴＲＡＮは、１５番目のサービスの情報をＭＰ＃２のＭＳＩメッセージに含め、１ＵＰ中に１５番目のサービスに割り当てられた最初のグループのＵＳＩメッセージに１５番目のサービスの情報の識別子情報を送信する。このとき、１５番目のサービスのセッションがＭＰ＃２において始まるため、１５番目のサービスの情報はＭＰ＃１に含まれることなく、ＭＰ＃４から始まるＵＳＩメッセージに含まれる。
【００４７】
ＭＰ＃２から始まる１７番目のサービスのセッションに対して、１７番目のサービスの情報はＭＰ＃２のＭＳＩに含まれる。また、ＵＴＲＡＮが１７番目のサービスの情報をＵＰの２番目のグループ（すなわち、ＭＰ＃２、ＭＰ＃５）に割り当てたため、この後、１７番目のサービスの情報はＭＰ＃５のＵＳＩメッセージに含まれる。
【００４８】
ＭＰ＃４から始まる１６番目のサービスのセッションに対して、１６番目のサービスの情報はＭＰ＃４のＭＳＩに含まれる。また、ＵＴＲＡＮが１６番目のサービスの情報をＵＰの３番目のグループ（すなわち、ＭＰ＃３、ＭＰ＃６）に割り当てたため、この後、１６番目のサービスの情報はＭＰ＃６のＵＳＩメッセージに含まれる。
【００４９】
しかしながら、もし、３番目のサービスのセッションの終了がＭＰ＃２に示された場合、ＵＴＲＡＮは、３番目のサービスをＭＰ＃２のＭＳＩメッセージに含め、そもそも３番目のサービスの情報が割り当てられている最初のグループ（すなわち、ＭＰ＃１）から３番目のサービスの情報を削除する。このため、削除後には、３番目のサービスの情報は次の当該ＭＰ中には送信されない。しかしながら、３番目のサービスは最初のグループ（すなわち、ＭＰ＃１）に割り当てられているため、３番目のサービスの識別子情報はＭＰ＃１においてはＵＳＩメッセージに含まれる。
【００５０】
また、もし、１１番目のサービスのセッションの終了がＭＰ＃３に示される場合、ＵＴＲＡＮは、１１番目のサービスの情報をＭＰ＃３のＭＳＩメッセージに含め、そもそも１１番目のサービスが割り当てられている３番目のグループから１１番目のサービスの情報を削除する。このため、削除後、ＭＰ中には、１１番目のサービスの情報は次のＭＰ中にそれ以上送信されない。例えば、上記表３に示すように、ＭＰ＃３に１１番目のサービスのセッションが終了する次の当該ＭＰ、すなわち、ＭＰ＃６は１１番目のサービスを含んでいない。しかしながら、３番目のサービスが最初のグループに予め割り当てられているため、３番目のサービスの識別子情報はＭＰ＃１のＵＳＩメッセージに含まれる。
【００５１】
さらに、もし、ＵＴＲＡＮは、１０番目のサービスの情報をＭＰ＃４のＭＳＩメッセージに含め、そもそも１０番目のサービスの情報が割り当てられている２番目のグループから１０番目のサービスの情報を削除する。このため、この後、ＭＰ中には１０番目のサービスの情報が送信されない。
【００５２】
さらに、もし、１０番目のサービスのセッションの終了がＭＰ＃４に示される場合、ＵＴＲＡＮは、１０番目のサービスの情報をＭＰ＃４のＭＳＩメッセージに含め、そもそも１０番目のサービスの情報が割り当てられている２番目のグループから１０番目のサービスの情報を削除する。このため、削除後、ＭＰ中には１０番目のサービスの情報は次のＭＰ中にそれ以上送信されない。
【００５３】
識別子情報のグループがＭＳＩメッセージにおいて用いられる場合、全ての採用可能なＭＢＭＳサービス識別子は他のセルのユーザー端末に対応するために変更周期中に放送されるので、そのグループに属する全てのサービスはＵＳＩメッセージに含まれる。
【００５４】
図５は、本発明の好適な一実施形態によるユーザー端末のサービス情報の取得手順を示している。本発明の実施形態において、ユーザー端末が特定のセルのサービス情報を完全に取得するためには、ユーザー端末はＵＳＩ周期（ＵＰ）の長さに見合う分だけＭＳＩメッセージ及びＵＳＩメッセージを受信しなければならない。ユーザー端末は、新たなセルに移動した場合や最初にＭＢＭＳサービスを開始する場合、またはサービス情報の管理にエラーが生じた場合に、そのセルの全てのサービス情報を取得するためにＵＰ中に前記メッセージを受信する。このようにしてすべてのサービス情報を受信した後、ユーザー端末は、サービス情報の状態を確認するために、ＭＳＩメッセージのみを受信する。ここで、ユーザー端末の移動や動きがなければ、このような動作や手順を行う必要がない。
【００５５】
ユーザー端末のサービス情報の取得手順を参照すると、ＵＴＲＡＮがＵＳＩ周期（ＵＰ）の長さをＢＣＣＨあるいはＭＣＣＨを介してユーザー端末に送信する。ＵＰの長さをＭＣＣＨを介して送信する場合、ＵＴＲＡＮは、ＵＰの長さを送信するために周期的に送られてくるＭＳＩメッセージあるいはＵＳＩメッセージを用いることができる。好ましくは、ＵＰの長さ情報はＵＳＩメッセージに含まれ、ＵＰの長さが変更または修正された場合、変更されたＵＰの長さ情報はＭＳＩメッセージに含まれる必要がある。
【００５６】
以下、図５の動作の詳細を説明する。特定のセルのサービス情報を完全に取得するために、ユーザー端末はＭＣＣＨチャンネルを介して情報を受信し、任意のある変更周期中にＭＳＩメッセージ及びＵＳＩメッセージを受信する。このとき、ユーザー端末はＭＳＩメッセージ及びＵＳＩメッセージ（すなわち、サービス情報）の内容を保存する。ＭＳＩメッセージ及びＵＳＩメッセージを用いる場合、ＵＰＤＭＬの長さが取得可能である。ここで、ＵＰの長さはＳ１で表され、Ｓ１の値は変更周期の長さの倍数に相当する。ユーザー端末はＳ１値を保存し、ｍをＳ１（ｍ＝Ｓ１）に設定する（Ｓ１０）。
【００５７】
次いで、ユーザー端末は、次の変更周期中にＭＳＩメッセージ及びＵＳＩメッセージを受信し、ＭＳＩメッセージ及びＵＳＩメッセージの内容を保存する。このとき、ＭＳＩメッセージあるいはＵＳＩメッセージを用いて、ユーザー端末はＵＰの長さを取得する。ここで、ＵＰの長さはＳ２で表され、Ｓ２値は変更周期長さの倍数に相当する。このとき、ユーザー端末はｍをｍ−１（ｍ＝ｍ−１）に設定する（Ｓ２０）。
【００５８】
ステップＳ２０後、ユーザー端末は、前記受信したＳ２値が保存中のＳ１に等しいかどうかを判断する（Ｓ３０）。もし、Ｓ２値がＳ１に等しくない場合、ユーザー端末はＳ２値に置き換えたＳ１値を他のＳ１値に設定する。置き換えられたＳ１値は再保存され、ｍはＳ１に再設定される。ユーザー端末は、最近保存されたＭＳＩメッセージ及びＵＳＩメッセージ（すなわち、現在のＭＰのＭＳＩメッセージ及びＵＳＩメッセージ）を除いて、以前に保存されている全てのＭＳＩメッセージ及びＵＳＩメッセージを削除または除去する。この後、ユーザー端末は、ステップＳ２０の動作を行い直す（Ｓ４０）。
【００５９】
前記Ｓ２値がＳ１値に等しい場合、ユーザー端末は、現在、ｍ値が０であるかどうかを判断する。もし、ｍ値が０ではない場合、ユーザー端末は、ステップＳ２０の動作を行い直す（Ｓ５０）。しかしながら、もし、ｍ値が０である場合、保存されているＭＳＩメッセージ及びＵＳＩメッセージは当該セルの全てのサービス情報を含んでおり、当該セルと関連して受信さるべきサービス情報はそれ以上存在しないことが明らかである（Ｓ６０）。
【００６０】
図６は、本発明の動作を行う無線通信装置の構成図である。この無線通信装置１００は、マイクロプロセッサーやデジタルプロセッサーなどのプロセッシングユニットモジュール１１０と、ＲＦモジュール１３５と、電力制御モジュール１０６と、アンテナ１４０と、バッテリー１５５と、ディスプレイモジュール１１５と、キーパッド１２０と、保存モジュール１３０（例えば、ＲＯＭ、ＳＲＡＭ、フラッシュメモリー）と、スピーカー１４５と、マイクロホン１５０と、を備えてなる。
【００６１】
キーパッド１２０のボタンは押下による指令情報の入力のために用いられ、マイクロホン１４５は、音声認識を活性化させるために用いられる。プロセッシングユニットモジュール１１０は、ユーザー要求の機能を行うために、入力された指令を受信して処理することができる。また、ユーザー要求の機能を行うために、所要データが保存モジュール１３０において検索されて使用可能である。さらに、プロセッシングユニットモジュール１１０は、ユーザーの便宜のために、ユーザーの指令及び保存モジュール１３０からの検索データと関連する情報をディスプレイモジュール１１５上に表示可能である。
【００６２】
プロセシングユニットモジュール１１０は、音声通信データを含む無線信号を送信するようにＲＦモジュール１３５に指示情報を送信することができる。ＲＦモジュール１３５は、無線信号を送受信するために、送信器及び受信器を備える。ここで、無線信号は、最終的にアンテナ１４０を用いて送受信される。もし、ＲＦモジュール１３５が無線信号を受信可能であれば、プロセシングユニットモジュール１１０に無線信号を処理させるために、無線信号を基底帯域周波数に変換する。変換された信号は、スピーカー１４５を介して送信されるか、あるいは、読取り可能な形で送信される。ＲＦモジュール１３５は、ネットワークからデータを受信するか、あるいは、無線通装置における測定または生成情報をネットワークに送信するのに使用可能である。保存モジュール１３０は、無線通信装置における測定または生成情報を保存するのに使用可能である。さらに、プロセシングユニットモジュール１１０は、無線通信装置からのデータの受信、受信したデータの処理、または処理済みのデータの送信に好適に使用可能である。
【００６３】
１対多型マルチメディアあるいはマルチキャストサービスを提供される無線ネットワーク及び無線通信装置１００は、ＲＦモジュール１３５を介して前記複数のサービスに関する制御情報がサービスグループ単位にグループ分けされてなる複数のサービスグループ制御情報を受信する。また、プロセシングユニットモジュール１１０から周期的に受信された複数のサービスグループ制御情報が、無線通信装置１００が受信中のサービスに関する制御情報を取得するために用いられる。さらに、サービスグループ単位にグループ分けされた前記制御情報が、ＲＦモジュール１３５を制御するプロセシングユニットモジュール１１０を介して繰り返し受信可能である。
【産業上の利用可能性】
【００６４】
本発明は、本発明の精神及び必須的な特徴から逸脱しない限り、他の特定の形態に具体化可能であることは、本発明における通常の知識を持った者にとって自明である。よって、上述した詳細な説明はあらゆる側面から制限的なものとして解釈されてはならず、単なる例示的なものに考慮さるべきである。本発明の範囲は請求範囲の合理的な解釈により決定さるべきであり、本発明の等価的な範囲内におけるあらゆる変更は本発明の範囲に含まれる。
【図面の簡単な説明】
【００６５】
本発明へのさらなる理解に一助となるために提供される添付図面は本願出願の一部を構成するものとして含まれ、本発明の実施形態及び関連説明と一緒に本発明の原理を記述するために示される。 
【図１】従来の技術によるＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）のネットワーク構造を示す図。
【図２】従来の技術による、第３世代移動体通信システムの標準化プロジェクト（３ＧＰＰ）の無線接続網規格に基づくユーザー端末とＵＴＲＡＮとの間における無線インタフェースプロトコルの構造を示す図。
【図３】従来の技術による、ＭＢＭＳサービスのためのユーザー端末側からのＭＢＭＳサービスの構成を示す図。
【図４】従来の技術によるＭＣＣＨ情報の送信方式の一例を示す図。
【図５】本発明による、ユーザー端末によりサービス情報を取得する手順を示す図。
【図６】本発明の動作を行う移動端末などの無線通信装置の構成を示す図。
【図１】
2008535369.tif 000006
【図２】
2008535369.tif 000007
【図３】
2008535369.tif 000008
【図４】
2008535369.tif 000009
【図５】
2008535369.tif 000010
【図６】
2008535369.tif 000011
【国際調査報告】
2008535369.tif 000012
2008535369.tif 000013